(57)【特許請求の範囲】
【請求項１】
互いに独立した樹脂製の別部材である棚板部材、左右一対の薄板状の上部側板部材、左右一対の薄板状の下部側板部材、薄板状の上部後方板部材及び薄板状の下部後方板部材の各部材を組み付けた１ユニットを内包する多段陳列棚であって、
該棚板部材は、両側端に該上部側板部材が嵌る上方が開口する前後方向に延びる第１上部溝部と該下部側板部材が嵌る下方が開口する前後方向に延びる第１下部溝部を有し、後方端に該上部後方板部材が嵌る上方が開口する左右方向に延びる第２上部溝部と該下部後方板部材が嵌る下方が開口する左右方向に延びる第２下部溝部を有し、該第１上部溝部及び第２上部溝部は、上下方向に貫通する溝孔において、該溝孔を形成する内壁間を差し渡し状に連結する中間底部材により上下に区画される上部であり、該第１下部溝部及び第２下部溝部は、該中間底部材により上下に区画される下部であることを特徴とする多段陳列棚。 
【請求項２】
更に該棚板部材、該上部側板部材、該下部側板部材、該上部後方板部材又は該下部後方板部材を別途準備し、該１ユニットに組み付けて得られることを特徴とする請求項１記載の多段陳列棚。
【請求項３】
該上部側板部材及び該下部側板部材は、その上端部又は下端部に該端から下方向又は上方に延びる切り欠き部を有することを特徴とする請求項１記載の多段陳列棚。
【請求項４】
該上部側板部材及び該下部側板部材は、側面視形状が矩形状又は台形状であることを特徴とする請求項１記載の多段陳列棚。
【請求項５】
該上部後方板部材及び該下部後方板部材は、正面視形状が矩形状であることを特徴とする請求項１記載の多段陳列棚。
【請求項６】
該棚板部材の陳列面の長手方向の途中に、前後方向に延びる１以上の補強板支持溝を設けたことを特徴とする請求項１記載の多段陳列棚。
【請求項７】
該補強板支持溝に嵌め込まれる補強板は、下端部の奥行き長さが該側板部材の下端部の奥行き長さと同じか又は短いものであることを特徴とする請求項６記載の多段陳列棚。
【請求項８】
該第２上部溝部及び第２下部溝部は、陳列面の後端に形成される左右両起立壁間により形成されることを特徴とする請求項１記載の多段陳列棚。
【請求項９】
該下部側板部材の上端部の前後方向の長さは、該第１下部溝部の前後方向の溝長さより小であることを特徴とする請求項１記載の多段陳列棚。
【請求項１０】
該棚板部材の一方の側端面に、該側端面から外側に延びる水平部材と該水平部材の側端から上方に起立する起立部材とで形成される鉤状の横連結部材を設けたことを特徴とする請求項１記載の多段陳列棚。
【発明の詳細な説明】
【技術分野】
【０００１】
本発明は、運送運搬に便利で、組立て容易な樹脂製の多段陳列棚に関するものである。
【背景技術】
【０００２】
多段陳列棚は、一般的には、棚板、左右一対の側板、後方板及び支柱を１ユニットとして、これを上下方向に複数有するものである。これにより、スペースを採らず、陳列面積を大とすることができる。近年、低コストで製作が容易な樹脂製の多段陳列棚が知られている。樹脂製の陳列棚は、強度を高めるために棚板、左右一対の側板、後方板及び支柱が接着剤で接着され一体化されている。また、接着剤が使用されていない多段陳列棚は、強度を保持するため、４本の支柱が使用されている（特開２００１−２８９号公報）。
【先行技術文献】
【特許文献】
【０００３】
【特許文献１】特開２００１―２８９号公報
【発明の概要】
【発明が解決しようとする課題】
【０００４】
しかしながら、接着剤で接着され一体化された多段陳列棚は、運送、運搬にスペースを採るため不便であると共に、運搬コストを上昇させるという問題がある。また、接着剤で接着され一体化された多段陳列棚は、使用者側において設計変更がほとんど不可能であり、陳列棚から陳列の演出を変えることはほとんどできないという問題がある。また、支柱が使用されている多段陳列棚は、支柱間が空いているため、そこから商品が転落し易くなり、また、支柱に厚み（直径）があるため、陳列面の有効面積を減少させるという問題がある。
【０００５】
従って、本発明の目的は、運送運搬に便利で、組立てが容易で、陳列棚の形状の変更もできる支柱を使用しない樹脂製の多段陳列棚を提供することにある。
【０００６】
かかる実情において、本発明者は鋭意検討を行った結果、支柱を使用せず、特定の棚板部材と特定の薄板状の部材の組み付け体とすれば、運送運搬に便利で、組立てが容易で、陳列棚の形状の変更も可能となることを見出し、本発明を完成するに至った。
【０００７】
すなわち、本発明は、互いに独立した樹脂製の別部材である棚板部材、左右一対の薄板状の上部側板部材、左右一対の薄板状の下部側板部材、薄板状の上部後方板部材及び薄板状の下部後方板部材の各部材を組み付けた１ユニットを内包する多段陳列棚であって、該棚板部材は、両側端に該上部側板部材が嵌る上方が開口する前後方向に延びる第１上部溝部と該下部側板部材が嵌る下方が開口する前後方向に延びる第１下部溝部を有し、後方端に該上部後方板部材が嵌る上方が開口する左右方向に延びる第２上部溝部と該下部後方板部材が嵌る下方が開口する左右方向に延びる第２下部溝部を有することを特徴とする多段陳列棚を提供することにある。
【発明の効果】
【０００８】
本発明によれば、運送運搬に便利で、組立てが容易で、陳列棚の形状の変更もできる。また、支柱を使用しないため、側方及び後方からの商品の転落がなく、陳列面の有効面積を減少させることがない。
【図面の簡単な説明】
【０００９】
【図１】本発明の第１の実施の形態における多段陳列棚に内包される１ユニットの分解斜視図である。
【図２】図１の１ユニットの斜視図である。
【図３】本発明の第１の実施の形態における多段陳列棚の分解斜視図である。
【図４】図３の多段陳列棚を構成する棚板部材の斜視図である。
【図５】図３の多段陳列棚を構成する棚板部材の背面側から見た斜視図である。
【図６】図３の多段陳列棚を構成する棚板部材を裏面から見た斜視図である。
【図７】図３の多段陳列棚を構成する棚板部材の裏側で且つ背面側から見た他の斜視図である。
【図８】（Ａ）は本発明の第１の実施の形態における多段陳列棚の斜視図であり、（Ｂ）はその側面図である。
【図９】（Ａ）本発明の第１の実施の形態における多段陳列棚の他の斜視図であり、（Ｂ）はその側面図である。
【図１０】本発明の第２の実施の形態における多段陳列棚に内包される１ユニットの分解斜視図である。
【図１１】図１０の１ユニットの斜視図である。
【図１２】本発明の第２の実施の形態における多段陳列棚の分解斜視図である。
【図１３】図１２の多段陳列棚を構成する棚板部材の斜視図である。
【図１４】図１２の多段陳列棚を構成する棚板部材の背面側から見た斜視図である。
【図１５】本発明の第２の実施の形態における多段陳列棚の斜視図である。
【図１６】本発明の第２の実施の形態における多段陳列棚の他の斜視図である。
【図１７】図３の多段陳列棚を構成する側板部材の斜視図である。
【図１８】第１の実施の形態例における棚板部材の両側端の溝部構造を示す図である。
【図１９】第２の実施の形態例における棚板部材の両側端の溝部構造を示す図である。
【発明を実施するための形態】
【００１０】
次に、本発明の第１の実施の形態例における多段陳列棚を図１〜図９を参照して説明する。多段陳列棚１０は、互いに独立した樹脂製の別部材である棚板部材１、左右一対の薄板状の上部側板部材２ａ、左右一対の薄板状の下部側板部材２ｂ、薄板状の上部後方板部材３ａ及び薄板状の下部後方板部材３ｂの各部材を組み付けた１ユニットを内包する。すなわち、多段陳列棚１０を構成する部材はそれぞれ別部材であって、各部材は接着剤を使用することなく、組み付けられる。なお、本明細書において、「前方」は顧客側から見た方向を言う。
【００１１】
棚板部材１は、樹脂製であって、両側端に上部側板部材２ａが嵌る上方が開口する前後方向に延びる第１上部溝部１１ａと下部側板部材２ｂが嵌る下方が開口する前後方向に延びる第１下部溝部１１ｂを有し、後方端に上部後方板部材３ａが嵌る上方が開口する左右方向に延びる第２上部溝部１３ａと下部後方板部材３ｂが嵌る下方が開口する左右方向に延びる第２下部溝部１３ｂを有する。樹脂としては、ＰＥＴが挙げられる。
【００１２】
多段陳列棚１０において、棚板部材１は、左右方向に所定の長さ、奥行き方向に所定の長さを有する陳列面を有し、前後端及び左右端に起立壁を有する。これにより、側板部材、後方板部材及び転落防止板の嵌め込みを容易にする。すなわち、これらの起立壁は、各溝部を形成する部材になる。また、前方の起立壁は、前方に凸に湾曲するアーチ状の３つが連続する形状となっている。これにより、陳列面を３つに区画するのに適した形状となる。なお、前方の起立壁の形状としては、上記アーチ状に限定されず、直線状、１つのアーチ状など種々の形状をとることができる。
【００１３】
棚板部材１の左右端の起立壁である側板（内側板）１１２は、その外側の側板（外側板）１１１とで第１上部溝部１１ａ及び第１下部溝部１１ｂを構成する。内側板１１２と外側板１１１が所定幅離間して形成される上下方向に貫通する溝孔において、溝孔を形成する内壁間を差し渡し状に連結する中間底部材１１ｃが形成されている。すなわち、図１８に示すように、内側板１１２と外側板１１１間には、高さ方向のほぼ中間位置に上下を区画する中間底部材１１ｃが形成され、第１上部溝部１１ａは、中間底部材１１ｃの上方に位置する溝であり、第１下部溝部１１ｂは、その下方に位置する溝である。なお、中間底部材１１ｃは、前後方向に連続又は不連続のものである。また、内側板１１２と外側板１１１間で且つ中間底部材１１ｃの上面又は裏面には、側板部材２が係止する支持部材１１３が形成されている。第１上部溝部１１ａ内の支持部材１１３の形成位置は、支持部材１１３から後方の溝長さが、下部側板部材２ｂの上端部の前後方向の長さｌ１と略同じとなる位置である。これにより、側板部材２が棚板部材１に対して後方側に設置される場合、前方への移動を規制するストッパーとなり、前方側に設置される場合、側板部材２の切り欠き部２３と係止する係止部材となる。なお、外側板１１１の前後端部は、陳列棚板１４の下端より少し下方に延びている（図６及び図７）。これにより、下方に延びた部分１１４が脚部として機能する。なお、図１７の仕切り板２ａを使用する場合、第１下部溝部１１ｂ内の支持部材１１３の形成位置は、第１上部溝部１１ａ内の支持部材１１３の形成位置よりやや後方である。
【００１４】
また、棚板部材１の後方端の起立壁である後板（内後板）１３２と、その外側の起立壁である後板（外後板）１３１とで第２上部溝部１３ａ及び第２下部溝部１３ｂを構成する。外後板１３１は、両端部１３１ｂ、１３１ｃ及び中央１３１ａを除き、細長い板状体である。また、両端部１３１ｂ、１３１ｃ及び中央１３１ａの下端は、陳列棚板１４の下端より少し下方に延びている（図６及び図７）。これにより、後方板部材３が嵌め易くなると共に、下方に延びた部分が脚部として機能する。内後板１３２と外後板１３１が所定幅離間して形成される上下方向に貫通する溝孔において、溝孔を形成する内壁間を差し渡し状に連結する中間底部材（不図示）が形成されている。すなわち、図１８に示すものと同様構造であって、内後板１３２と外後板１３１間には、高さ方向のほぼ中間位置に上下を区画する中間底部材が形成され、第２上部溝部１３ａは、中間底部材の上方に位置する溝であり、第２下部溝部１３ｂは、その下方に位置する溝である。なお、中間底部材は、左右方向に連続又は不連続のものである。
【００１５】
また、棚板部材１の前方の起立壁である前方外板１２１と、その内側の前方内板１２２とで転落防止板（不図示）が係合する第３溝部１２を構成する。前方内板１２２は、前方外板１２１と同様、３つのアーチが横並びとなる連続形状となっている。前方内板１２２は前方外板１２１より高さが低く、段差を形成している。これにより、転落防止板が嵌め込み易くなる。
【００１６】
棚板部材１の長手方向の長さを３等分した位置に、前後方向に延びる補強板支持溝１５が形成されている。すなわち、補強板支持溝１５は、３つのアーチの接続点で前後方向に形成されるものである。補強板支持溝１５は、陳列面から上方に背が低く起立すると共に、所定間隔離間して前後方向に延びる２つの板状体１５１、１５２間に形成されるものである。２つの板状体１５１、１５２間には、高さ方向のほぼ中間位置に上下を区画する中間底部材が形成され、上部溝部１５ａは、中間底部材の上方に位置する溝であり、下部溝部１５ｂは、その下方に位置する溝である。なお、中間底部材は、前後方向に連続又は不連続のものである。上部溝部１５ａ及び下部溝部１５ｂに補強板４ａが嵌め込まれて、多段陳列棚１０Ａを補強する。補強板４ａは、本例では、側板部材２と同形状である。なお、棚板部材１の裏面に形成されている小突起１７は、他の陳列部材の係合凹部に嵌る係止片であると共に、棚板部材１の脚部となるものである。従って、小突起１７の高さは、両側端から下方に延びる下方突出部と同じ高さである。
【００１７】
棚板部材１は、その一方の側端面で且つ下端部に、側端面から外側に延びる水平部材と該水平部材の側端から上方に起立する起立部材とで形成される鉤状の横連結部材（不図示）が形成されていてもよい。棚板部材１の他方の側端部において、内側板１１２と外側板１１１間には隙間が存在する。このため、当該隙間に横連結部材を係合させることができる。これにより、複数の多段陳列棚を左右方向に連続して連結することができる。この際、連結側の側板部材２は共有できるため、実質的に側板部材の一部の使用を省略できる。
【００１８】
薄板状の上部側板部材２ａ及び薄板状の下部側板部材２ｂは同一形状であるため、薄板状の下部側板部材２ｂについて説明し、上部側板部材２ａの説明は省略する。薄板状の下部側板部材２ｂは樹脂製であり、厚さが２〜５ｍｍ、好ましくは２〜３ｍｍである。樹脂としては、ＰＥＴが挙げられる。従って、可撓性であって剛性ではない。下部側板部材２ｂは、側面視が矩形状又は台形であって、本例で台形である。すなわち、下部側板部材２ｂの上端部の前後方向の長さｌ１は、第１下部溝部１１ｂの前後方向の溝長さｌ２より小である（図８参照）。すなわち、下部側板部材２ｂは、第１下部溝部１１ｂの前後方向の２箇所のいずれかに設置することができる。これにより、多段陳列棚の陳列面の並びに変化を持たせることができる。また、図１７に示すように、下部側板部材２ｂの上端部及び下端部の前後方向の所定の位置には、任意の構成要素である下方向又は上方向に延びる切り欠き部２３が形成されている。切り欠き部２３は、溝部内に形成された支持部１１３と係合し、位置決めと固定安定性の両機能を奏している。補強板４ａ、４ｂも上部側板部材２ａ及び下部側板部材２ｂと同一形状のものが使用できる。また、溝部との係合は側板部材と同様である。
【００１９】
薄板状の上部後方板部材３ａ及び薄板状の下部後方板部材３ｂは同一形状であるため、薄板状の上部後方板部材３ａについて説明し、下部後方板部材３ｂの説明は省略する。薄板状の上部後方板部材３ａは樹脂製であり、厚さが２〜５ｍｍ、好ましくは２〜３ｍｍである。樹脂としては、ＰＥＴが挙げられる。従って、可撓性であって剛性ではない。上部後方板部材３ａは、正面視が矩形状である。上部後方板部材３ａの長さは、嵌合する溝部の溝長さとほぼ同一である。
【００２０】
次に、１ユニット１０の組み付け方法を図１及び図２を参照して説明する。１ユニット１０は、１つの棚板部材１、２枚の上部側板部材２ａ、２枚の下部側板部材２ｂ、１枚の上部後方板部材３ａ及び１枚の下部後方板部材３ｂから組立てられる。すなわち、棚板部材１の左右両端の第１上部溝部１１ａに、上部側板部材２ａを差し込む。この際、上部側板部材２ａの下方の切り欠き部２３を、第１上部溝部１１ａ内の支持部１１３に係合させる。これで、上部側板部材２ａの固定が安定する。次に、棚板部材１の左右の第１下部溝部１１ｂの支持部１１３の後方の溝内に、下部側板部材２ｂの上部先端を差し込む。この際、第１下部溝部１１ｂ内の支持部１１３がストッパーとなり、下部側板部材２ｂの固定が安定する。次に、棚板部材１の後端の第２上部溝部１３ａに、上部後方板部材３ａを差し込む。同様に、棚板部材１の後端の第２下部溝部１３ｂに、下部後方板部材３ｂを差し込む。なお、溝内の幅寸法と側板部材及び後方板部材の厚さは、両者の嵌合を少し押し込むことで、きつく嵌るような寸法がよい。これにより、図２に示す１ユニット１０が完成する。
【００２１】
多段陳列棚は、更に棚板部材１、上部側板部材２ａ、下部側板部材２ｂ、上部後方板部材３ａ又は下部後方板部材３ｂを別途準備し、１ユニット１０にこれらを組み込むことで得られる。
【００２２】
多段陳列棚の一例である３段陳列棚１０Ａについて、図３、図８及び図９を参照して説明する。３段陳列棚１０Ａは、４枚の棚板部材１、１２枚の側板部材２、３枚の後方板部材３を準備し、組み付けられる。なお、側板部材２は、上部と下部とは同じであるため、上部及び下部の記載は省略した。また、後方板部材３は、上部と下部と同じであるため、上部及び下部の記載は省略した。また、側板部材２の６枚は補強板として使用される。また、４つの棚板部材１のひとつは、上下逆さにして、天板として使用する。棚板部材１を天板として使用する際、後方板部材３ａの上方が棚板部材１の第２上部溝部１３ａに嵌り、側板部材２の上方が棚板部材１の第１上部溝部１１ａに嵌り、補強板４の上方が棚板部材１の補強板支持溝１５に嵌る。
【００２３】
１ユニット１０から３段陳列棚１０Ａを組み付ける一例を示す。先ず、図３において、棚板部材１ｃの左右両端の第１上部溝部１１ａに、上部側板部材２ｃを嵌め込む。この際、上部側板部材２ｃの下方の切り欠き部２３を、第１上部溝部１１ａ内の支持部１１３に係合させる。これで、上部側板部材２ｃの固定が安定する。次に、棚板部材１ｃの補強板支持溝１５ｃの上部溝に補強板４ｃを嵌め込む。この際、補強板４ｃの下方の切り欠き部２３を、上部溝内の支持部１１３に係合させる。これで、補強板４ｃの固定が安定する。次に、棚板部材１ｃの後端の第２上部溝部１３ａに、上部後方板部材３ｃを差し込み、１段の中間組立体（第１中間体）を得る。更に第１中間体の上に、棚板部材１ｂを組み込む。すなわち、棚板部材１ｂの左右の第１下部溝部１１ｂの支持部１１３の後方の溝内に、下部側板部材２ｃの上部先端を差し込む。この際、第１下部溝部１１ｂ内の支持部１１３がストッパーとなり、下部側板部材２ｃの固定が安定する。補強板４ｃも同様に、棚板部材１ｂの補強板支持溝１５ｂの下部溝に嵌め込む。棚板部材１ｂの後端の第２下部溝部１３ｂに、下部後方板部材３ｃを差し込む。これにより、２つの棚板部材１ｂ、１ｃを使用した中間組立体（第２中間体）が完成する。次いで、この第２中間体に対して、図２のように組み立てられた１ユニット１０を上から嵌め込む。次いで、棚板部材を上下逆さにした天板１ｄを組み付けて、図８に示すような３段陳列棚１０Ａを得る。
【００２４】
３段陳列棚１０Ａは、支柱を使用することなく、薄板状の側板部材２、薄板状の後方板部材３及び補強板４とで棚板部材１を支持しているため、十分な強度を有する。また、３枚の後方板部材３及び３枚の側板部材２はそれぞれ鉛直方向に並んでおり、例えば壁面に隙間なく設置できる。また、運送運搬時は、簡単に分解できるため、スペースを取らず、低コストとなる。また、２段あるいは４段以上の陳列棚も容易に組立てができる。また、３つの部材で種々の多段陳列棚が作製できるため、低コストで提供できる。また、棚板部材１の側面に不図示の横連結部材を設置すれば、複数の多段陳列棚を左右方向に連続して連結することができる。この際、連結側の側板部材２は共有できるため、側板部材の一部の使用を省略できる。
【００２５】
３段陳列棚１０Ａは、設置形態を変更できる。すなわち、組立てられ起立している側板部材２に棚板部材１を上から嵌める際、棚板部材１を後方側に位置させ、第１下部溝部１１ｂ内の支持部１１３と側板部材２の上方の切り欠き部２３とを係止させる。これにより、上下２つの棚板部材１間の前方に側板部材２を位置させることができ、図９のような陳列形態とすることができる。これにより、階段状の陳列面を演出できる。このように、本発明の多段陳列棚は、陳列棚の形状の変更も容易にできる。
【００２６】
次に、本発明の第２の実施の形態における多段陳列棚を図１０〜１６を参照して説明する。図１０〜図１６において、図１〜図９と同一構成要素には同一符号を付して、その説明を省略し、異なる点について主に説明する。すなわち、図１０〜図１６の１ユニット１０ａ及び多段陳列棚１０Ｃにおいて、図１〜図９の１ユニット１０及び多段陳列棚１０Ａと異なる点は、棚板部材及び側板部材の形状である。
【００２７】
棚板部材１’ａは、左右方向に所定の長さ、奥行き方向に所定の長さを有する陳列面を有する所定の厚みの水平板１１５と水平板１１５の後端から上方に起立する所定の厚みの起立板１１６からなる。水平板１１５には、前後方向に延び左右方向に所定のピッチで多数形成される縦溝１９が形成されている。水平板１１５に厚みを持たせることで、強度が付与でき、陳列面上に縦溝を形成することができる。また、起立板１１６に厚みを持たせることで、強度が付与でき、連結孔６ａ、６ｂを形成することができる。棚板部材１’ａの一方の側端面で且つ下方端には、側端面から外側に延びる所定の奥行き長さを有する水平部材と該水平部材の側端から上方に起立する起立部材とで形成される鉤状の横連結部材１８が形成されている。棚板部材１’ａの他方の側端部において、内側板１１２と外側板１１１間には隙間が存在する。このため、当該隙間に横連結部材を係合させることができる。これにより、複数の多段陳列棚を左右方向に連続して連結することができる。
【００２８】
棚板部材１’ａの左右端の起立壁である側板（内側板）１１２は、その外側の側板（外側板）１１１とで第１上部溝部１１ａ及び第１下部溝部１１ｂを構成する。内側板１１２の高さは陳列面の高さとほぼ同じであり、後方側のコーナー部でカーブを描いて上方に起立する。なお、外側板１１１の前後端部は、陳列棚板１４の下端より少し下方に延びている。これにより、下方に延びた部分が脚部として機能する。内側板１１２と外側板１１１が所定幅離間して形成される上下方向に貫通する溝孔において、溝孔を形成する内壁間を差し渡し状に連結する中間底部材（不図示）が形成されている。すなわち、図１９に示すように、内側板１１２と外側板１１１間には、高さ方向のほぼ中間位置に上下を区画する中間底部材１１ｃが形成され、第１上部溝部１１ａは、中間底部材１１ｃの上方に位置する溝であり、第１下部溝部１１ｂは、その下方に位置する溝である。なお、中間底部材１１ｃは、前後方向に連続又は不連続のものである。また、内側板１１２と外側板１１１間で中間底部材１１ｃの上面又は裏面には、側板部材２が係止する支持部材１１３が形成されていてもよい。
【００２９】
また、棚板部材１’ａの後方端の起立壁である後板（内後板）１３２と、その外側の後板（外後板）１３１とで第２上部溝部１３ａ及び第２下部溝部１３ｂを構成する。外後板１３１は、両端部１３１ｂ、１３１ｃ及び中央１３１ａを除き、細長い板状体である。また、両端部１３１ｂ、１３１ｃ及び中央１３１ａの下端は、陳列棚板１４の下端より少し下方に延びている。これにより、後方板部材３が嵌め易くなると共に、下方に延びた部分が脚部として機能する。すなわち、第２上部溝部１３ａ及び第２下部溝部１３ｂは、陳列棚面の後端から実質上方に延びる前後両壁面により形成される。また、内後板１３２と外後板１３１が所定幅離間して形成される上下方向に貫通する溝孔において、溝孔を形成する内壁間を差し渡し状に連結する中間底部材（不図示）が形成されている。すなわち、内後板１１２と外後板１３１間には、高さ方向のほぼ中間位置に上下を区画する中間底部材が形成され、第２上部溝部１３ａは、中間底部材の上方に位置する溝であり、第２下部溝部１３ｂは、その下方に位置する溝である。なお、中間底部材は、左右方向に連続又は不連続のものである。
【００３０】
棚板部材１’ａ及び起立壁である内後板１３２の表面には、その長手方向の長さを略３等分した位置に、前後方向に延びる補強板支持溝１５が形成されている。棚板部材１’ａにおける補強板支持溝１５には、当該溝１５を形成する内壁間を差し渡し状に連結する中間底部材（不図示）が形成されている。すなわち、貫通状の溝孔の高さ方向のほぼ中間位置に上下を区画する中間底部材が形成され、上部溝部１５ａは、中間底部材の上方に位置する溝であり、下部溝部１５ｂは、中間底部材の下方に位置する溝である。なお、中間底部材は、前後方向に連続又は不連続のものである。そして、補強板支持溝１５に補強板４ａが嵌め込まれて、多段陳列棚１０Ａを補強する。補強板４ａは、本例では、下端部の奥行き長さが側板部材２の下端部の奥行き長さより少し短いものである。また、起立壁１３２の上面中央に前後方向に少し長く延びる２つの孔６ａが、左右両端近傍には、長手方向に少し長く延びる孔６ｂが形成されている。これにより、別途のコ字状のフック部材を使用すれば、２つの多段陳列棚１０Ｃを連結することができる。
【００３１】
また、棚板部材１’ａの前方端には、所定幅離間して前方外板１２１が形成されており前方端と、その外側の前方外板１２１とで転落防止板（不図示）が係合する第３溝部１２を形成している。棚板部材１’ａは、枠体状であって、その裏面はリブ構造である。これにより、強度を保持しつつ軽量化が図れる。
【００３２】
薄板状の上部側板部材２’ａ及び薄板状の下部側板部材２’ｂは矩形状である以外は、上部側板部材２ａ及び薄板状の下部側板部材２ｂと同様である。また、側板部材２の奥行き長さｌ１が、第１下部溝部１１ｂの前後方向の溝長さｌ２より小であることも上部側板部材２ａ及び薄板状の下部側板部材２ｂと同様である。
【００３３】
１ユニット１０ａにおいて、上部側板部材２’ａ及び下部側板部材２’ｂは、１ユニット１０における上部側板部材２ａ及び下部側板部材２ｂと同様に、側面視が台形状であってもよく、上端部及び下端部に切り欠き部が形成されていてもよい。また、後方板部材３’ａ〜３’ｃの高さは後方板部材３ａ〜３ｃの高さより小であり、側板部材１’ａ〜１’ｃに設置した後、側板部材２’ａ〜２’ｃの上端面と同じ高さとなる。
【００３４】
３段陳列棚１０Ｃは、３枚の棚板部材１、１２枚の側板部材２、３枚の後方板部材３を準備し、組み付けられる。なお、３枚の棚板部材１の中、１枚を底板部材として使用するが、本例では、底板部材の水平板は奥行き寸法が他の棚板部材１より大である以外は、他の棚板部材１と同様である。また、天板の使用は省略されている。本発明において、１ユニット１０ａの組み付け方法、多段陳列棚１０Ｃの組み付け方法は、１ユニット１０の組み付け方法、多段陳列棚１０Ａの組み付け方法と同様である。
【００３５】
なお、３段陳列棚１０Ｃは、３段陳列棚１０Ａと同様に、設置形態を変更できる。すなわち、組立てられ起立している側板部材２に棚板部材１を上から嵌め込む際、棚板部材１を後方側に位置させ、第１下部溝部１１ｂ内の支持部と切り欠き部とを係止させる。これにより、上下２つの棚板部材１間の前方に側板部材２を位置させることができ、図１６のような３段陳列棚１０Ｄとすることができる。これにより、階段状の陳列面を演出できる。また、薄板状の仕切り板５を使用すれば、陳列する商品を区画することができる。
【００３６】
３段陳列棚１０Ｃは左右方向に連結することができる。これにより、陳列面を増やすことができる。この際、連結する側の側板部材２は共有とすることができ、都合３枚の使用を省略できる。また、１台の３段陳列棚１０Ｃを正面向きとし、他の２台を背中合わせとし、背中合わせのものを９０度回転させて、正面向き３段陳列棚１０Ｃの後方で中央に当接させ、連結孔を使用して正面向きの陳列棚とフック部材で連結すれば、平面視で逆さＴ字形状とすることができ、正面および両側面からの陳列展示が可能となる。なお、この際、正面向き３段陳列棚１０Ｃの後方板部材３は、フック部材を避けるための切り欠きを形成させればよい。
【００３７】
本発明は、上記実施の形態例に限定されず、種々の変形を採ることができる。第１の実施の形態例における棚板部材１は、上記形態例の他、補強板支持溝１５及びこれを構成する起立壁が省略された高面積の陳列面を形成するものであってもよい。また、横連結部材の形状は上記の形態例に限定されず、連結機能を奏するものであればよい。
【産業上の利用可能性】
【００３８】
本発明によれば、運送運搬時は、スペースを取らず、多量運搬が可能となる。２段以上の陳列棚を希望により容易に組立てができる。また、３つの部材で種々の多段陳列棚が作製できるため、低コストで提供できる。また、階段状の陳列面がつくれ、陳列棚側から陳列の演出できる。
【符号の説明】
【００３９】
１、１’      棚板部材
２、２’      側板部材
２ａ    上部側板部材
２ｂ    下部側板部材
３      後方板部材
３ａ    上部後方板部材
３ｂ    下部後方板部材
１０、１０ａ    多段陳列棚に包含される１ユニット
１０Ａ〜１０Ｄ    多段陳列棚
１１ａ    第１上部溝
１１ｂ    第１下部溝
１２      第３溝部
１３ａ    第２上部溝
１３ｂ    第２下部溝
【図１】
0006006942.tif 000002
【図２】
0006006942.tif 000003
【図３】
0006006942.tif 000004
【図４】
0006006942.tif 000005
【図５】
0006006942.tif 000006
【図６】
0006006942.tif 000007
【図７】
0006006942.tif 000008
【図８】
0006006942.tif 000009
【図９】
0006006942.tif 000010
【図１０】
0006006942.tif 000011
【図１１】
0006006942.tif 000012
【図１２】
0006006942.tif 000013
【図１３】
0006006942.tif 000014
【図１４】
0006006942.tif 000015
【図１５】
0006006942.tif 000016
【図１６】
0006006942.tif 000017
【図１７】
0006006942.tif 000018
【図１８】
0006006942.tif 000019
【図１９】
0006006942.tif 000020